(57)【特許請求の範囲】
【請求項１】
土粒の中に帯状の補強材を埋込み、土粒と補強材との直接的摩擦力または該補強材に接触する他の要素との摩擦力により互いに保持され、而して一体性を有し、且つ抵抗力の高い構造物を形成するようにした補強土壌構造物において、
当該補強土壌構造物の土粒の自由表面よりある程度の寸法だけ土粒内に入った位置に土粒の変形を拘束し得る拘束体を埋設し、当該拘束体には埋込んだ帯状で厚さ２．３ｍｍ〜２０ｍｍ、幅３５ｍｍ〜１５０ｍｍの第一補強材の端部を連結固定すると共に、当該第一補強材の平滑面が土粒内の地面と平行となるように連結固定して当該補強土壌構造物の土粒の自由表面方向へ崩れ止め効果を高めるように構成すると共に、
当該補強土壌構造物の土粒の自由表面には外装するための壁面パネルの左右両端部に折曲自在な連結部を介して複数個組み合わせてジグザグに折曲して配設し、その配設された各壁面パネルの左右の連結部から埋込んだ帯状で厚さ２．３ｍｍ〜２０ｍｍ、幅３５ｍｍ〜１５０ｍｍの第二補強材を連結固定すると共に、当該第二補強材の平滑面が土粒内の地面と平行となるように連結してその配設位置に固定し、これによって補強土壌構造物の表面近くにあって両補強材の摩擦保持効果をあまり受けない土粒を保持する外装壁面を構築し、
当該外装壁面の内側近傍における補強土壌構造物の土粒中に、埋設された両補強材に支障を与えることなく必要埋設物を埋設したり樹木などを植え付けたりすることのできる埋設適所部を形成するようにしたことを特徴とする補強土壌壁構造物。
【請求項２】
請求項１に記載する補強土壌壁構造物において、補強材には帯状で厚さ２．３ｍｍ〜２０ｍｍ、幅３５ｍｍ〜１５０ｍｍの鋼板が使用され、拘束体にはコンクリート製ブロックあるいは鋼板が使用され、その受圧面積は１０ｃｍ×１０ｃｍ〜７０ｃｍ×７０ｃｍの範囲で、１枚の壁面パネルの折曲自在な連結部に対して少なくとも１本以上の補強材が連結されている構造を特徴とする補強土壌壁構造物。
【発明の詳細な説明】
【０００１】
【産業上の利用分野】
本発明は、例えば防壁、防波堤、堤防壁、道路のプラットホーム、アーチダム、トンネル、基礎、整地などの構築に好適な構造物であって、土粒中に補強材を埋設して補強土壌構造物を構築すると共に、当該補強土壌構造物の土粒の自由表面には外装するための壁面を設けてなる補強土壌壁構造物の改良に関するものである。
【０００２】
【従来の技術】
土粒中に補強材を埋設して補強土壌構造物を構築する基本技術は、特公昭４４ー２５１７４号、特公昭４８ー１１６０１号などで開示され、その後急速に世界中で普及したものである。当該補強土壌構造物の実際の普及態様は、土粒の自由表面に外装するための壁面パネルを設けて、表面近傍の土粒が溢れない様に保持した補強土壌壁構造物として実施されている場合が多い。
【０００３】
しかるに、従来の補強土壌壁構造物の場合、特公昭４４ー２５１７４号に記載するように埋込まれる補強材の材質、摩擦係数、耐摩耗性、土圧係数、その他により補強された土壌を計算して施工されるため、設計に際しては全体の安定性から補強材の配設位置、間隔、長さ、本数など自ずと一定の許容範囲に限定されることになる。しかも、前記特許公報に記載の通り、埋設された補強材の端部は、全て壁面パネルに連結されたものであった。このため、当該補強土壌壁構造物の場合、計算され、設計された補強力を損なうことなく規模の大きい管類、柵、柱や樹木等を補強材に支障を与えずに埋設したり、あるいは樹木を植えることは、非常に困難なことであった。
【０００４】
従来、上記のような必要埋設物を埋設したり樹木を植える要請がある場合には、例えば図５に示したように補強土壌壁構造物にＵ字状のコンクリート製の溝体Ｂを埋設したり、図６に示すように補強土壌壁構造物Ａにコンクリート製の接続用箱体Ｃを埋設し、これら溝体Ｂや接続用箱体Ｃに補強材Ｄを連結し、さらに、当該溝体Ｂや接続用箱体Ｃと壁面パネルＥとの間も補強材Ｄで連結するといった構造がとられていた。
【０００５】
【発明が解決しようとする課題】
しかし、補強力を損なうことなく規模の大きい管類、柵、柱や樹木等を補強材に支障を与えずに埋設したり、あるいは樹木を植えるために、いちいちＵ字状のコンクリート製の溝体を埋設したり、コンクリート製の接続用箱体を埋設し、これら溝体や接続用箱体に補強材を連結し、さらに、当該溝体や接続用箱体と壁面パネルとの間も連結するといった構造をとることはそのための施工時間の増大やそれに伴う工事費の増加などの問題が生じる。また、補強材はすべて壁面パネルと連結するので、図７に示すように一壁面パネル当たりの補強材の取り付け本数に合わせ連結金具Ｆを埋設しなければならない面倒もある。特に、マルチ壁面パネルを用いて基本構成がジグザグに折曲した外装壁面を構築するような場合には、補強材と連結しようとするマルチ壁面パネルの壁面が傾斜しているような場合は、連結金具の埋設が困難である。
【０００６】
また、埋設物に支障を与えずに補強材を埋設するために補強材の取付け間隔を広げると、これにともなって壁面パネルに作用する局所土圧が増大し、それに伴って壁面材の耐久力を増すなどの対策が必要になる。
【０００７】
本発明は、このような従来の技術課題を解決し、補強土壌構造物として計算され、設計された補強力を損なうことなく、また壁面パネルに作用する局所土圧が過大にならないようにしながら、簡単に規模の大きい管類、柵、柱や樹木等を補強材に支障を与えずに埋設したり、あるいは樹木を植えることの出来る新規な補強土壌壁構造物を提供せんとするものである。
【０００８】
【課題を解決するための手段】
特許を受けようとする第１発明は、土粒の中に帯状の補強材を埋込み、土粒と補強材との直接的摩擦力または該補強材に接触する他の要素との摩擦力により互いに保持され、而して一体性を有し、且つ抵抗力の高い構造物を形成するようにした補強土壌構造物において、
当該補強土壌構造物の土粒の自由表面よりある程度の寸法だけ土粒内に入った位置に土粒の変形を拘束し得る拘束体を埋設し、当該拘束体には埋込んだ帯状で厚さ２．３ｍｍ〜２０ｍｍ、幅３５ｍｍ〜１５０ｍｍの第一補強材の端部を連結固定すると共に、当該第一補強材の平滑面が土粒内の地面と平行となるように連結固定して当該補強土壌構造物の土粒の自由表面方向へ崩れ止め効果を高めるように構成すると共に、
当該補強土壌構造物の土粒の自由表面には外装するための壁面パネルの左右両端部に折曲自在な連結部を介して複数個組み合わせてジグザグに折曲して配設し、その配設された各壁面パネルの左右の連結部から埋込んだ帯状で厚さ２．３ｍｍ〜２０ｍｍ、幅３５ｍｍ〜１５０ｍｍの第二補強材を連結固定すると共に、当該第二補強材の平滑面が土粒内の地面と平行となるように連結してその配設位置に固定し、これによって補強土壌構造物の表面近くにあって両補強材の摩擦保持効果をあまり受けない土粒を保持する外装壁面を構築し、
当該外装壁面の内側近傍における補強土壌構造物の土粒中に、埋設された両補強材に支障を与えることなく必要埋設物を埋設したり樹木などを植え付けたりすることのできる埋設適所部を形成するようにしたことを特徴とする補強土壌壁構造物である。
【０００９】
特許を受けようとする第２発明は、上記の第１発明に記載する補強土壌壁構造物において、補強材には帯状で厚さ２．３ｍｍ〜２０ｍｍ、幅３５ｍｍ〜１５０ｍｍの鋼板が使用され、拘束体にはコンクリート製ブロックあるいは鋼板が使用され、その受圧面積は１０ｃｍ×１０ｃｍ〜７０ｃｍ×７０ｃｍの範囲で、１枚の壁面パネルの折曲自在な連結部に対して少なくとも１本以上の補強材が連結されている構造を特徴とする補強土壌壁構造物である。
【００１０】
【実施例】
以下本発明の実施例を図面に基づいて詳細に説明する。
図１は、本発明にかかる補強土壌壁構造物の土粒要素を除いた構成の概要を示す斜視図であり、図２は、補強土壌壁構造物の土粒要素を除いた構成の概要を示す平面図で、図３は本発明にかかる補強土壌壁構造物を施工した状態を示す縦断側面図で、図４は、本発明に係る補強土壌壁構造物を施工した状態を示す土粒要素を除いた構成の概要平面断面図である。
【００１１】
図１、図２に示したジグザグに折曲した外装壁面１は、板状の基本パネルの左右両端部に折曲自在な連結部３を形成してなるマルチ壁面パネル２を左右方向に連結しジグザグ状に折曲構成したものである。当該壁面パネル２は、補強土壌構造物の土粒の自由表面を外装するためのもので、壁面パネル２には埋込んだ第二補強材４ａ，４ａをその平滑面が土粒内の地面と平行となるように連結してその配設位置に固定する。これによって補強土壌構造物の表面近くにあって第二補強材４ａ，４ａの摩擦保持効果をあまり受けない土粒を保持する外装壁面１を構築するのである。尚、当該補強材４ａ，４ｂは、帯状の厚さ２．３ｍｍ〜２０ｍｍ、幅３５ｍｍ〜１５０ｍｍの鋼板を使用し、その長さは、設計条件に基づき計算された事例ごとに必要な長さになる。
【００１２】
図中、５はコンクリート製ブロックの形状をした拘束体で、その受圧面積は１０ｃｍ×１０ｃｍ〜７０ｃｍ×７０ｃｍの範囲である。なお当該拘束体５，５，５としては、図示しないが前記受圧面積を持った鋼板であってもよいこと勿論である。
【００１３】
当該拘束体５は配設固定されている壁面パネル２よりある程度の寸法だけ土粒内に入った位置に埋設したもので、図示実施例の拘束体５は、図２に示したようにジグザグに折曲形成した外装壁面１から離れた位置において、直線状に列設されており、その拘束体５には埋込んだ第一補強材４ｂ，４ｂの端部が連結固定されている。つまり、当該補強土壌構造物Ａの土粒の自由表面よりある程度の寸法だけ土粒内に入った位置に土粒の変形を拘束し得る拘束体５を埋設し、当該拘束体５には前記埋込んだ第二補強材４ｂ，４ｂの端部を連結固定して当該補強土壌構造物の土粒の自由表面方向へ崩れ止め効果を高めるように構成してある。
【００１４】
その結果、前記壁面パネル１と拘束体５との間には、両補強材４ａ，４ｂの埋設されていない埋設適所部６が形成されることになる。つまり、外装壁面１の内側近傍における補強土壌構造物の土粒中に、埋設された補強材４に支障を与えることなく必要埋設物を埋設したり樹木などを植え付けたりすることのできる埋設適所部６を形成する。
【００１５】
このように、土粒の中に帯状の補強材を計算に基づき複数本埋込み、土粒と補強材との直接的摩擦力または該補強材に接触する他の要素との摩擦力により互いに保持され、而して一体性を有し、且つ抵抗力の高い構造物を形成するようにした補強土壌構造物Ａにおいて、埋設された第一補強材４ａには、壁面パネル２を連結して外装壁面を構築し、埋設された他の一部の補強材４ｂには壁面パネル２から離れた位置に配設した拘束体５に連結されて、土粒の自由表面方向へ崩れ止め効果を高めるように構成されているのである。
【００１６】
また、図４に示したように、壁面パネル２に連結固定した第二補強材４ａの他端は、他側に埋め込んだ拘束体５ａに連結固定しておき、壁面パネル２側に埋め込んだ拘束体５に連結固定した第１補強材４ｂは、他側の壁面パネル２ａに連結固定することにより、土粒と両補強材との摩擦力をより高めることができる。
【００１７】
本発明は、補強土壌構造物Ａの表面近くにあって補強材の摩擦保持効果をあまり受けない土粒部分の処理を改良したものであり、外装壁面１の内側近傍における補強土壌構造物Ａの土粒中に、埋設された補強材４に支障を与えることなく必要埋設物を埋設したり樹木などを植え付けたりすることのできる埋設適所部６を形成するようにした補強土壌壁構造物である。
【００１８】
図示実施例のようにマルチ壁面パネル２を用いて組み立てた場合、基本的にはジグザグに折曲した外装壁面１を構築するが、その際の組み立て方により、ジグザグに折曲した周期を上下方向に一致させるように組み立てて、全体にジグザグな垂直壁面を構築したり、あるいは高さ方向に組み立てる壁面パネルのジグザグな折曲周期をずらして階段状の小段部を形成して階段状壁面を構築したり、垂直壁面と階段状壁面を構築とを組み合わせた複合壁面を構築したりすることができる。従って本発明にかかる補強土壌壁構造物として上記のようなジグザグに折曲した外装壁面の突出部分の内側近傍や小段部には、埋設された両補強材４ａ，４ｂに支障を与えることなく必要埋設物を埋設したり樹木などを植え付けたりすることができるようになった。しかも、補強土壌構造物Ａとしては、埋設される両補強材４ａ，４ｂの数が削減されたり、適正埋設位置がずれたりすることがないので、設計された補強力を損なうことがなく、また拘束体５により当該補強土壌構造物Ａの土粒の自由表面方向へ崩れ止め効果を高めるので、当該壁面パネルに作用する局所土圧が過大になることはない。
【００１９】
発明者の実験によると、設計上の補強材４の必要取付け間隔が垂直方向に１ｍ間隔、水平方向に１ｍ間隔であったのに対して、水平方向に２ｍに１本の割合で補強材４の端部に支圧面積２５ｃｍ×２５ｃｍの拘束体５を取付けた。そうして構築した壁高６ｍの補強土壌壁構造物について、その変化や様子を観察したが、すべての補強材４を壁面に取付けた構造と何ら変りなく、安定であった。
【００２０】
【効果】
本発明は、叙上のように、補強材の埋込まれた補強土壌構造物に埋設適所部を形成するのに、従来のように、コンクリート製の溝体を埋設したり、コンクリート製の接続用箱体を埋設する手間や、これらと壁面パネルとの連結施工の手間もいらない。また、壁面パネル当たりの補強材の取付け本数に合わせ連結金具を埋設しなければならない面倒もなく、簡単に補強土壌構造物として計算され、設計された補強力を損なうことなく、また壁面パネルに作用する局所土圧が過大にならないようにしながら、簡単に規模の大きい管類、柵、柱や樹木等を補強材に支障を与えずに埋設したり、あるいは樹木を植えることの出来る新規な補強土壌壁構造物を提供することができたものである。
【図面の簡単な説明】
【図１】本発明に係る補強土壌壁構造物の土粒要素を除いた構成の概要を示す斜視図である。
【図２】補強土壌壁構造物の土粒要素を除いた構成の概要を示す平面図である。
【図３】本発明に係る補強土壌壁構造物を施工した状態を示す縦断側面図である。
【図４】本発明に係る補強土壌壁構造物を自由表面が両側にある場合に施工した状態を示す土粒要素を除いた構成の概要平面断面図である。
【図５】補強土壌壁構造物に埋設適所を形成するため、Ｕ字状のコンクリート製の溝体を埋設した従来例を示す縦断説明図である。
【図６】補強土壌壁構造物に埋設適所を形成するため、コンクリート製の接続用箱体を埋設した従来例を示す平面説明図である。
【図７】従来の壁面パネルで、一壁面パネル当たり補強材の取り付け本数に合わせ連結金具を埋設形成した状態を示す斜視図である。
【符号の説明】
１…外装壁面
２…壁面パネル
３…連結部
４ａ…第二補強材
４ｂ…第一補強材
５…拘束体
６…埋設適所部
【図１】
0003586727.tif 000002
【図２】
0003586727.tif 000003
【図３】
0003586727.tif 000004
【図６】
0003586727.tif 000005
【図４】
0003586727.tif 000006
【図５】
0003586727.tif 000007
【図７】
0003586727.tif 000008